(57)【要約】【課題】交通機関を利用した旅行において、旅行者に旅行先の情報を適切に提供する。【解決手段】例えば飛行機や電車、船舶といった交通機関の乗り場（飛行場や駅、港等）の搭乗口（ゲート）Ａ〜Ｆのそれぞれに旅行先情報送信部１Ａ〜１Ｆを設ける。旅行先情報送信部１Ａは、旅行者が保有する携帯端末からのアクセスを受けると、搭乗口（ゲート）Ａに対応する旅行先に関する情報である旅行先情報を携帯端末に送信する。旅行先情報送信部１Ａは、時刻毎の搭乗口と旅行先の関連を示す運行時間データに基づき、携帯端末に送信する旅行先情報を所定のタイミングで変更する。これにより、交通機関に搭乗する前の時間に、旅行者は適切な旅行先情報を簡単かつ確実に得ることができる。【選択図】図１
2014164329.tif 000002
【特許請求の範囲】
【請求項１】
交通機関の乗り場において、無線通信機能を備えた携帯端末に対して各種の情報を無線通信を介して提供するシステムであって、
該乗り場の搭乗口に設けられ、前記携帯端末からのアクセスを受けて、該搭乗口に対応する旅行先に関する情報である旅行先情報を該携帯端末に無線で送信する旅行先情報送信部
を備えたことを特徴とする旅行先情報提供システム。
【請求項２】
前記旅行先情報送信部が複数の搭乗口に設けられている
ことを特徴とする請求項１に記載の旅行先情報提供システム。
【請求項３】
少なくとも隣接する搭乗口に設けられている旅行先情報送信部が互いに異なる無線通信チャンネルを使用する
ことを特徴とする請求項２に記載の旅行先情報提供システム。
【請求項４】
前記旅行先情報送信部が発信する無線通信の識別用名称が、少なくとも搭乗口の識別記号を含む
ことを特徴とする請求項１〜３のいずれかに記載の旅行先情報提供システム。
【請求項５】
時刻毎に搭乗口と旅行先の関連を示す運行時間データに基づき、前記旅行先情報送信部より携帯端末に送信する旅行先情報を所定のタイミングで変更する
ことを特徴とする請求項１〜４のいずれかに記載の旅行先情報提供システム。
【請求項６】
前記携帯端末と前記旅行先情報送信部との通信が確立されると、該携帯端末に前記旅行先情報を表示するＷＥＢページが表示される
ことを特徴とする請求項１〜５のいずれかに記載の旅行先情報提供システム。
【発明の詳細な説明】
【技術分野】
【０００１】
本発明は、交通機関の搭乗口において旅行者の携帯端末に対して旅行先情報を提供するシステムに関する。
【背景技術】
【０００２】
情報化社会の現代において、インターネットから情報を得ることは極めて一般的に行われている。旅行（仕事上の出張などを含む）の場面においても、インターネット上に存在する旅行先の情報を参照したり収集したりすることが多くなっている。
【０００３】
また、多機能携帯電話（スマートフォン）やタブレット型端末（以下、これらをまとめて「携帯端末」と称する）の進歩と普及に伴い、旅行に携帯端末を携行することはごく普通のことになっている。携帯端末には地図表示やGPS機能が備わっているものが多いうえ、カメラも標準的に装備されていることも、携帯端末が旅行に積極的に携行される一因となっている。
【０００４】
携帯端末を持って旅行する人が多くなっている現状を踏まえ、従来より、その旅行先に適した情報を配信するシステムが開発されてきている。一例として特許文献１には、ユーザの旅程を予めサーバに記憶しておき、その旅程に応じて、旅行先で行動しているユーザに対して観光資源情報を配信するシステムが開示されている。
【先行技術文献】
【特許文献】
【０００５】
【特許文献１】特開２０１０−５５３７０号公報
【発明の概要】
【発明が解決しようとする課題】
【０００６】
特許文献１に記載の発明を含め、旅行先で旅行者に適した情報を携帯端末に向けて提供するシステムは既に開発されている。しかし、旅行時に携帯端末の使用に関して、以下のような課題が存在している。
・旅行先に到着した時点でインターネットを用いて情報を探そうとした場合、例えば外国旅行などの場合にはとりわけ、簡単かつ安価にインターネットに接続することができない場合が多い。従って、旅行先に到着後すぐに現地の情報をインターネットから確実に得ることが難しい。
・旅行先に関する情報がインターネット上に氾濫しているため、又はユーザのスキルが不十分なため、適切な情報を短時間で探し出すことができないことがある。
【０００７】
このような課題を考慮し、本願発明者は、交通機関を利用して旅行する際に存在する出発までの待ち時間を活用し、旅行先に関する各種の有用な情報を適切に配信することに想到した。
【課題を解決するための手段】
【０００８】
上記課題を解決するために成された本発明に係る旅行先情報提供システムは、
交通機関の乗り場において、無線通信機能を備えた端末に対して各種の情報を無線通信を介して提供するシステムであって、
該乗り場の搭乗口に設けられ、前記端末からのアクセスを受けて、該搭乗口に対応する旅行先に関する情報である旅行先情報を該端末に無線で送信する旅行先情報送信部
を備えたことを特徴とする。
【０００９】
例えば飛行機、船、電車、バスといった交通機関を利用して旅行を行う場合、その交通機関の乗り場（ここで「乗り場」とは、空港、港、駅などの広い概念で用いる。なお、この「乗り場」はもちろん降り場を含んでいてもよく、その場合には一般にいう「乗降場」である。）に設けられた搭乗口から搭乗が行われる。多くの場合には、交通機関に搭乗する前に、旅行者は搭乗口の付近でしばらくの間、待機する。
本発明に係る旅行先情報提供システムでは、そのような搭乗口付近に旅行先情報送信部を設け、旅行者の保有する携帯端末からのアクセスがあったことを受けて旅行先情報送信部が旅行先情報を無線で送信する。よって、旅行者は交通機関に搭乗する前の待機時間を利用して、旅行先の情報を確実に得ることができる。
【００１０】
通常、交通機関の乗り場（空港、港、駅など）には単一ではなく複数の搭乗口が存在する。従って、本発明に係る旅行先情報提供システムでは、複数の搭乗口のそれぞれに旅行先情報送信部を設けることが好ましい。この場合、各搭乗口に設けられた旅行先情報送信部がそれぞれの搭乗口に対応した旅行先の情報を携帯端末に対して無線送信する。
【００１１】
また、本発明に係る旅行先情報提供システムは、旅行先情報送信部が発信する無線通信の識別用名称が、少なくとも搭乗口の番号等の識別記号を含むように構成することが望ましい。
これにより、搭乗口が近接しているため複数の旅行先情報送信部からの異なる無線通信ネットワークが重なってしまう場合（すなわち、携帯端末の側から無線通信に接続しようとする際に、複数の接続先が選択肢として存在する場合）に、旅行者は自分の利用する搭乗口の識別記号が含まれた接続先を選択することができ、適切な旅行先情報を得ることができる。なお、「搭乗口の識別記号」は数字の他、文字や文字列、絵文字等から構成される。
【００１２】
さらにまた、本発明に係る旅行先情報提供システムは、旅行先情報送信部が、時刻毎に搭乗口と旅行先の関連を示す運行時間データに基づき、携帯端末に送信する旅行先情報を所定のタイミングで変更することが好ましい。
例えば空港や駅などでは、ある搭乗口に注目した場合、その搭乗口から出発する乗り物の行き先は時間とともに変化することが多い。この搭乗口と行き先との関係は予め決定されているため、そのスケジュールが記された運行時間データを用いることができる。より好適には、予定の変更などがあった場合にも対応できるように、交通機関の管理者側からリアルタイムで提供される運行時間データを利用するのが望ましい。これにより、搭乗口付近にいる旅行者に対して、常に適切な旅行先の情報を提供することが可能となる。
【発明の効果】
【００１３】
本発明に係る旅行先情報提供システムによれば、旅行者が一定の時間待機することが多い搭乗口に旅行先情報送信部を設け、アクセスがあった旅行者の携帯端末に旅行先の情報を送信する。これにより、旅行者は旅行前の限られた時間内に、確実に旅行先の情報を得ることができる。
【図面の簡単な説明】
【００１４】
【図１】本発明に係る旅行先情報提供システムの一実施形態である、空港の各ゲートに旅行先情報送信部を配置した場合の説明図。
【図２】本発明に係る旅行先情報提供システムの概略構成図。
【図３】無線接続先を選択する場合の携帯端末の表示画面例。
【図４】本発明に係る旅行先情報提供システムの動作の一例のフローチャート。
【図５】携帯端末上で旅行先情報が表示されている状態を示す説明図。
【図６】本発明に係る旅行先情報提供システムのシステム構成例１の概略構成図。
【図７】本発明に係る旅行先情報提供システムのシステム構成例２の概略構成図。
【図８】本発明に係る旅行先情報提供システムのシステム構成例３の概略構成図。
【図９】本発明に係る旅行先情報提供システムのシステム構成例４の概略構成図。
【図１０】本発明に係る旅行先情報提供システムのシステム構成例５の概略構成図。
【発明を実施するための形態】
【００１５】
以下、本発明に係る旅行先情報提供システムの実施形態について、図面を参照しつつ詳細に説明する。
【００１６】
図１は、本発明に係る旅行先情報提供システムを空港に配置した場合の説明図である。より詳細には、図１は空港の出発ターミナルの平面図である。この空港にはゲートＡ〜ゲートＦまでの合計６つの搭乗口が存在する。これらゲートＡ〜ゲートＦの各ゲートの付近に、旅行先情報送信部１Ａ〜１Ｆをそれぞれ配置する。
旅行先情報送信部１Ａ〜１Ｆは無線通信機能を備えている。本実施形態では無線通信の方法はWiFi規格に準拠したものとするが、例えばBluetooth（登録商標）規格に準拠した通信など、実用的な他の通信形態を採用してももちろん構わない。
また、旅行先情報送信部１Ａ〜１Ｆによる無線通信が互いに干渉しないように、少なくとも隣接するゲートについては（望ましくは、無線通信の到達可能範囲内の全てのゲートについて）異なる通信チャンネルを設定しておくことが望ましい。
【００１７】
図２は、本発明に係る旅行先情報提供システムの概略構成図である。一例として、旅行先情報送信部１Ａについて説明を行うが、基本的な構成及び動作は旅行先情報送信部１Ｂ〜１Ｆのいずれに関しても同様である。
旅行先情報送信部１Ａは、インターネットなどのネットワークＮＷを介して、情報提供サーバ２に接続されている。情報提供サーバ２は例えば数十秒〜数分に一度といった所定のタイミングで空港管理者側から提供される運行時間データ３を参照し、時刻に応じた、ゲートＡ〜Ｆのそれぞれの搭乗口からの旅行先を把握している。また、情報提供サーバ２は、各種の旅行先に関する情報である旅行先情報を保有している。もしくは、旅行先情報は情報提供サーバ２からアクセス可能な外部に設けられた別のサーバに存在していても構わない。
【００１８】
旅行先情報送信部１Ａは、WiFi無線通信のアクセスポイントを常時提供する（図４のステップＳ１）。このアクセスポイントのＳＳＩＤ（アクセスポイントの識別子）は「Gate_A」であり、旅行先情報送信部１Ａの対応しているゲートの番号が含まれる。従って図３に示すように、旅行者が携帯端末を用いてWiFiに接続しようとする際に複数の接続可能なワイヤレスネットワークが表示されたとしても、自分の利用しようとするゲートＡが明示されたネットワーク「Gate_A」を迷うことなく選択することができる。
【００１９】
旅行者が携帯端末４上で「Gate_A」のネットワークへの接続を選択すると、旅行先情報送信部１Ａは接続要求を受け付ける（ステップＳ２）。
次に、旅行先情報送信部１Ａは、情報提供サーバ２に接続する。情報提供サーバ２は旅行先情報送信部１Ａ（ゲートＡ）からのアクセスであることに基づき、現在、ゲートＡから出発する予定の飛行機の行き先が「タイ・スワンナプーム空港」であることを運行時間データを参照することにより認識し、「タイ・スワンナプーム空港」（あるいは、タイ王国）に関連した旅行先情報を旅行先情報送信部１Ａに送信する。旅行先情報送信部１Ａはこの旅行先情報を携帯端末４ｂに送信する（ステップＳ３）。なお、このステップＳ３において携帯端末４ｂと旅行先情報送信部１Ａとの間で無線通信が確立された時には、旅行先情報表示用のＷＥＢページがデフォルトで表示されるようにしておくことが望ましい。
【００２０】
図５は、上記の処理の結果、携帯端末４ｂのブラウザ画面上に旅行先情報が表示されている例を示す。この旅行先情報に関するＷＥＢページには「フライト情報」「外貨両替」「空港からの交通手段」「食事」「ショッピング」「タイ王国の基本情報」が含まれており、いずれも旅行者によって選択可能である。例えば旅行者が「外貨両替」の項目をタッチ動作によって選択すると、この動作に応じて情報提供サーバ２から適切な情報が配信され、携帯端末４ｂ上に所定の情報、例えば旅行先における両替所、銀行の所在地や現時点での現在の両替レートなど、を知ることができる。
【００２１】
旅行先情報は図５に示したものに限定されることはない。また、搭乗手続が開始され、旅行者が飛行機の中に乗り込むと、やがて携帯端末４ｂは旅行先情報送信部１Ａの無線通信の範囲から外れ、通信を続行することができなくなる。さらに飛行中の飛行機の中では無線通信が基本的に使用できない。そこで、オフラインの状態でも旅行者が各種の旅行先情報を参照できるように、旅行先情報の一部または全体をダウンロード可能とする構成としても良い。図５に示した例では、画面右下にダウンロードボタン「↓」が設けられており、このボタンが押されたことに基づき、所定のフォーマット（例えばＰＤＦ形式や、所定のアプリケーション）で旅行先情報の一式がダウンロードできるようになっている。このダウンロードは課金サービスとしてもよい。
【００２２】
上記実施形態は空港において旅行先情報提供システムを使用した例であるが、例えば旅行先情報送信部を、駅のホーム、バスの搭乗口、船の搭乗口など、各種の交通機関の搭乗口に設けることができることは言うまでもない。電車の駅に旅行先情報提供システムを適用した場合、一つのホームの上（この場合はホームが搭乗口とみなせる）に旅行先が異なる旅行者が混在することがあり得る。そのような場合には例えば、ホームから出発する数分〜数十分先の電車の複数の行き先をユーザにＷＥＢページ上で選択させ、その選択に基づいて適切な旅行先情報を携帯端末に送信するようにしてもよい。
【００２３】
以下に、本発明に係る旅行先情報提供システムの具体的なシステム構成例を挙げる。
【００２４】
＜構成例１＞（図６）
・情報提供サーバ２の構成：全ての搭乗口及び旅行先の情報を管理する。また、運行時間データ３を照合することにより、搭乗口と旅行先に関してリアルタイムな情報を提供する。異なる旅行先毎に設けられた旅行先情報のＷＥＢページを提供するＨＴＴＰサーバの機能も有する。
・旅行先情報送信部１の構成：ルータ５、搭乗口サーバ６、無線アクセスポイント７から構成する。
（ルータ５）通信会社の回線サービスに接続し、インターネット通信を行う。
（搭乗口サーバ６）ＤＨＣＰサーバとして携帯端末４のＩＰアドレス管理およびＷＰＡＤによるＰｒｏｘｙサーバ情報の提供を行い、また、携帯端末４からのＨＴＴＰアクセスをＰｒｏｘｙサーバとして受け付け、代理で情報提供サーバ２の適切な参照先に接続する。そして情報提供サーバ２から受信した、旅行先情報を含むコンテンツを、無線アクセスポイント７を介して携帯端末４に送信する。
【００２５】
＜構成例２＞（図７）
・情報提供サーバ２の構成：全ての搭乗口及び旅行先の情報を管理する。また、運行時間データ３を照合することにより、搭乗口と旅行先に関してリアルタイムな情報を提供する。旅行先情報のＷＥＢページを提供するＨＴＴＰサーバの機能も有する。
・旅行先情報送信部１の構成：ルータ５と無線アクセスポイント７から構成する。
（ルータ５）通信会社の回線サービスに接続し、インターネット通信を行う。また、ＤＨＣＰサーバとして携帯端末４のＩＰアドレスを管理する。携帯端末のＨＴＴＰアクセスを情報提供サーバ２へリダイレクトして接続する。そして、情報提供サーバ２から受信した旅行先情報を含めたコンテンツを、無線アクセスポイント７を介して携帯端末４に送信する。
【００２６】
＜構成例３＞（図８）
・情報提供サーバ２の構成：全ての搭乗口及び旅行先の情報を管理する。また、運行時間データ３を照合することにより、搭乗口と旅行先に関してリアルタイムな情報を提供する。旅行先情報のＷＥＢページを提供するＨＴＴＰサーバの機能も有する。さらにＩＰアドレス（またはＤＮＳによる名前解決サービス）を用いて搭乗口を識別し、搭乗口に関連するＨＴＭＬデータ（または全てのＨＴＭＬデータ）をファイル転送機能を利用して搭乗口サーバ６へ配信する。
・旅行先情報送信部１の構成：ルータ５、搭乗口サーバ６、無線アクセスポイント７から構成する。
（ルータ５）通信会社の回線サービスに接続し、インターネット通信を行う。
（搭乗口サーバ６）ＤＨＣＰサーバとして携帯端末４のＩＰアドレス管理およびＷＰＡＤによるＰｒｏｘｙサーバ情報の提供を行い、また、携帯端末４からのＨＴＴＰアクセスをＰｒｏｘｙサーバとして受け付け、代理で情報提供サーバ２に接続する。ＨＴＴＰサーバとして、情報提供サーバ２から予め配信されているＨＴＭＬをデータのうち、搭乗口に関連した旅行先情報を含むコンテンツを無線アクセスポイント７を介して携帯端末４に送信する。
【００２７】
＜構成例４＞（図９）
・情報提供サーバ２の構成：全ての搭乗口及び旅行先の情報を管理する。また、運行時間データ３を照合することにより、搭乗口と旅行先に関してリアルタイムな情報を提供する。旅行先情報のＷＥＢページを提供するＨＴＴＰサーバの機能も有する。この場合、情報提供サーバ２はバーチャルホスト設定を行うことにより、複数のＩＰアドレスを受け付け、それぞれに異なるコンテンツを提供する。
・旅行先情報送信部１の構成：ルータ５、搭乗口サーバ６、無線アクセスポイント７から構成する。
（ルータ５）通信会社の回線サービスに接続し、インターネット通信を行う。
（搭乗口サーバ６）ＤＨＣＰサーバとして携帯端末４のＩＰアドレス管理を行う。また、ＤＮＳサーバとして、運行時刻表データを照合することで搭乗口のリアルタイムな旅行先情報を識別し、情報提供サーバ２のＤＮＳレコードを変更する。これによって情報提供サーバ２のＩＰアドレスを適宜変更する。情報提供サーバ２から受信した、旅行先情報を含むコンテンツを、無線アクセスポイント７を介して携帯端末４に送信する。
【００２８】
＜構成例５＞（図１０）
・情報提供サーバ２の構成：全ての搭乗口及び旅行先の情報を管理する。また、運行時間データ３を照合することにより、搭乗口と旅行先に関してリアルタイムな情報を提供する。旅行先情報のＷＥＢページを提供するＨＴＴＰサーバの機能も有する。
・旅行先情報送信部１の構成：ルータ５、搭乗口サーバ６、無線アクセスポイント７から構成する。
（ルータ５）通信会社の回線サービスに接続し、インターネット通信を行う。
（搭乗口サーバ６）ＤＨＣＰサーバとして携帯端末４のＩＰアドレス管理およびＷＰＡＤによるＰｒｏｘｙサーバ情報の提供を行い、また、携帯端末４からのＨＴＴＰアクセスをＰｒｏｘｙサーバとして受け付け、代理で情報提供サーバ２に接続する。ＨＴＴＰサーバとして、情報提供サーバ２から予めダウンロードしたＨＴＭＬデータのうち、運航時間データを保持している場合はその時間の搭乗口に関連した旅行先情報を含むコンテンツを選んで、またリアルタイムな旅行先情報を含むコンテンツのみを保持している場合はそのデータを無線アクセスポイント７を介して携帯端末４に送信する。
【００２９】
また、図６を参照しつつ説明した構成例１において、情報提供サーバ２が、ルータ５（または搭乗口サーバ６）に固定的に割り当てられたＩＰアドレスやホスト名を識別して、どの搭乗口サーバからの通信かを判断し、運行時間データ３を照合することにより、旅行先に応じたコンテンツを提供するようにすることもできる。
【００３０】
以上、本発明に係る旅行先情報提供システムについて例を挙げつつ説明したが、上記は一例に過ぎず、本発明の精神内で適宜に変形、改良、修正を行っても構わない。
例えば、旅行先情報送信部が発信する無線通信の識別用名称が搭乗口の番号ではなく、旅行先の名称を含むようにすることもできる。
【符号の説明】
【００３１】
１…旅行先情報送信部
２…情報提供サーバ
３…運行時間データ
４…携帯端末
５…ルータ
６…搭乗口サーバ
７…無線アクセスポイント
ＮＷ…ネットワーク（インターネット）
【図１】
2014164329.tif 000003
【図２】
2014164329.tif 000004
【図３】
2014164329.tif 000005
【図４】
2014164329.tif 000006
【図５】
2014164329.tif 000007
【図６】
2014164329.tif 000008
【図７】
2014164329.tif 000009
【図８】
2014164329.tif 000010
【図９】
2014164329.tif 000011
【図１０】
2014164329.tif 000012